(57)【要約】    【課題】  鏡の状態と、ディスプレイの状態を切替えて取る多機能画像表示装置の、鏡の状態から、ディスプレイの状態への切替えを適切なタイミングで行えるようにする。    【解決手段】  多機能画像表示装置１は、ケース１０の表側に設けた孔１１の内側にハーフミラー４０を備えており、その内部に液晶ディスプレイ装置を備えている。また、ケース１０の正面には、人感センサ１２が設けられている。人感センサ１２はその前方に人が入ってくるとそれを検知して検知信号を生成する。液晶ディスプレイ装置は、その検知信号の生成をきっかけにして動画の表示を開始する。これにより、この多機能画像表示装置１は、鏡の状態から、ディスプレイの状態に切替わる。【選択図】    図１
2006053277.tif 000002
【特許請求の範囲】
【請求項１】
画像を表示することのできる画面を有するディスプレイ装置と、
前記画面を覆うハーフミラーと、
前記ディスプレイ装置における画像の表示のＯＮ・ＯＦＦの切替を制御する制御手段と、
前記ディスプレイ装置を含む所定の範囲内に人間が入ってきたことを検出することのできる人感センサと、
を備えており、
前記制御手段は、前記人感センサが前記所定の範囲内に人間が入ってきたことを検出したことを契機に前記ディスプレイ装置における画像の表示をＯＮにするようになっており、
前記ディスプレイ装置における画像の表示がＯＦＦとなっている場合には前記ハーフミラーが鏡として機能し、且つ前記ディスプレイ装置における画像の表示がＯＮとなっている場合には前記ハーフミラー越しに見える画像により画像表示装置として機能するようになっている、
多機能画像表示装置。
【請求項２】
前記ハーフミラーは、前記画面と同じ形状、同じ大きさであり、前記画面の全面を覆うようにして前記画面の前方に配されている、
請求項１記載の多機能画像表示装置。
【請求項３】
前記ディスプレイ装置は、前記画面の一部を覆う画面枠体を備えており、
且つ、前記ハーフミラーは、前記画面のうち前記画面枠体から露出している部分である露出部分と同じ形状、同じ大きさであり、前記画面の前記露出部分の全面を覆うようにして前記画面の前方に配されている、
請求項１記載の多機能画像表示装置。
【請求項４】
前記ハーフミラーは、前記画面の全面を覆うこのとのできる形状、大きさとされ、前記画面の全面を覆うようにして前記画面の前方に配されているとともに、
前記ハーフミラーのうち、その背後に前記画面の存在しない部分を覆うハーフミラー枠体が設けられてなる、
請求項１記載の多機能画像表示装置。
【請求項５】
前記ディスプレイ装置は、液晶ディスプレイ装置である、
請求項１〜４のいずれかに記載の多機能画像表示装置。
【請求項６】
前記ハーフミラーの光反射率は、６０〜８０％である、
請求項１〜５のいずれかに記載の多機能画像表示装置。
【請求項７】
前記制御手段は、前記ディスプレイ装置における画像の表示をＯＮにした後所定の時間が経過したら、前記ディスプレイ装置における画像の表示をＯＦＦにするようになっている、
請求項１〜６のいずれかに記載の多機能画像表示装置。
【請求項８】
前記画面で再生される動画についての動画像データを記録する記録手段を備えており、前記ディスプレイ装置における画像の表示がＯＮとなっている場合には、前記記録手段に記録された前記動画像データに基づく動画が前記画面に表示されるようになっている、
請求項１〜７のいずれかに記載の多機能画像表示装置。
【請求項９】
前記制御手段は、前記ディスプレイ装置における画像の表示をＯＮにした後、前記動画像データに基づく動画の再生が終了したら前記ディスプレイ装置における画像の表示をＯＦＦにするようになっている、
請求項８記載の多機能画像表示装置。
【請求項１０】
前記動画像データを所定のネットワークを介してこのネットワークに接続された動画配信装置から取得する通信手段を有しており、この通信手段を介して前記動画配信装置から取得した動画像データが前記記録手段に記録されるようになっている、
請求項８又は９記載の多機能画像表示装置。
【請求項１１】
画像を表示することのできる画面を有するディスプレイ装置と、
前記画面を覆うハーフミラーと、
前記ディスプレイ装置における画像の表示範囲を制御する制御手段と、
前記ディスプレイ装置を含む所定の範囲内に人間が入ってきたことを検出することのできる人感センサと、
を備えており、
前記制御手段は、前記人感センサが前記所定の範囲内に人間が入ってきたことを検出したことを契機に前記ディスプレイ装置の画像の表示範囲を変化させるようになっており、
前記ディスプレイ装置における画像の表示がされていない部分に対応するハーフミラーが鏡として機能し、且つ前記ディスプレイ装置における画像の表示がされている部分は前記ハーフミラー越しに見える画像により画像表示装置として機能するようになっている、
多機能画像表示装置。
【発明の詳細な説明】
【技術分野】
【０００１】
本発明は、あるときは鏡として、またあるときは画像表示装置として機能する多機能画像表示装置に関する。
【背景技術】
【０００２】
あるときは鏡として、またあるときは画像表示装置として機能する多機能画像表示装置が存在する。
かかる多機能画像表示装置は、一般的に、画像を表示することのできる画面を有するディスプレイ装置と、このディスプレイ装置の画面を覆うハーフミラーとを備えており、ディスプレイ装置の画面に画像が表示されていない場合にはハーフミラーが鏡として機能し、またディスプレイ装置の画面に画像が表示されている場合にはハーフミラー越しに見える画像により画像表示装置として機能するようになっている。
このような多機能画像表示装置は、例えば必要に応じてディスプレイ装置の画像の表示のＯＮ・ＯＦＦを切替えることにより、あるときは鏡として、またあるときは画像表示装置として機能するので便利である。また、このような多機能画像表示装置は、鏡から画像表示装置への切替え時、或いはその逆の切替え時に視覚的な面白さがあるので、その応用に期待が持てる。
特に最近は、かかる多機能画像表示装置全体を画像の表示がＯＦＦの状態では一見普通の鏡に見える程度に薄くするのに必須の液晶ディスプレイの価格が下がってきたので、その応用を行い易い環境が整いつつある。
【特許文献１】特開昭５７−１２５９７４号公報
【特許文献２】特開平１１−１５３９２号公報
【特許文献３】特開平１１−６５４９７号公報
【特許文献４】特開２０００−１９６７１８公報
【特許文献５】特開２００２−２２９４９４公報
【特許文献６】特開２００２−２２９００７公報
【特許文献７】特開２００２−２４７６７４公報
【特許文献８】特開２００２−５８０６７公報
【特許文献９】特開２００２−２９６５５公報
【発明の開示】
【発明が解決しようとする課題】
【０００３】
本願発明者は、かかる多機能画像表示装置を普及させるためにかかる多機能画像表示装置についての研究を行い、多機能画像表示装置では、その面白さに深く関わる鏡から画像表示装置への切替えを行うタイミングが極めて重要であるとの知見を得た。
本発明は、かかる知見に基づくものであり、多機能画像表示装置をより面白くするものに改良することをその課題とするものである。
【課題を解決するための手段】
【０００４】
かかる課題を解決するため、本願発明者は、以下の第１発明と第２発明を提案する。
本願の第１発明は、画像を表示することのできる画面を有するディスプレイ装置と、前記画面を覆うハーフミラーと、前記ディスプレイ装置における画像の表示のＯＮ・ＯＦＦの切替を制御する制御手段と、前記ディスプレイ装置を含む所定の範囲内に人間が入ってきたことを検出することのできる人感センサと、を備えてなる多機能画像表示装置である。この多機能画像表示装置の前記制御手段は、前記人感センサが前記所定の範囲内に人間が入ってきたことを検出したことを契機に前記ディスプレイ装置における画像の表示をＯＮにするようになっているとともに、前記ディスプレイ装置における画像の表示がＯＦＦとなっている場合には前記ハーフミラーが鏡として機能し、且つ前記ディスプレイ装置における画像の表示がＯＮとなっている場合には前記ハーフミラー越しに見える画像により画像表示装置として機能するようになっている。
第１発明による多機能画像表示装置は、前記ディスプレイ装置を含む所定の範囲内に人間が入ってきたことを検出することのできる人感センサを備えており、また、この人感センサが所定の範囲内に人間が入ってきたことを検出したことを契機に前記ディスプレイ装置における画像の表示をＯＮにするような制御を行う制御手段を備えている。
つまり、この多機能画像表示装置は、ある程度以上人が多機能画像表示装置に近づいた場合に、ディスプレイ装置の画像の表示がＯＦＦからＯＮに切替わるようになっているのである。
このような構成により、第１発明による多機能画像表示装置は、鏡から画像表示装置への切替えが人の目に付く可能性が高いものとなる。これにより、この多機能画像表示装置は、従来のものよりも面白いものとなる。
特に、第１発明による多機能画像表示装置の画面に表示される画像が広告である場合には、上述の面白いという点が良い方向にはたらく。面白い、人目を引くということは、広告の効果を増すことに直結するからである。
なお、第１発明による多機能画像表示装置における制御手段は、人感センサが所定の範囲内に人間が入ってきたことを検出したことを契機にディスプレイ装置における画像の表示をＯＮにするようなものであればよく、必ずしも人感センサが所定の範囲内に人間が入ってきたことを検出してから直ちに、ディスプレイ装置における画像の表示をＯＮとするようになっている必要はない。多少、例えば数秒のタイムラグをおいてからディスプレイ装置における画像の表示をＯＮとするようになっていてもよい。
また、第１発明による多機能画像表示装置における前記ディスプレイ装置は、どのようなものであってもよいが、例えば液晶ディスプレイ装置とすることができる。
【０００５】
第１発明の多機能画像表示装置におけるハーフミラーは、ディスプレイ装置の画面と密着している場合もあるし、ディスプレイ装置の画面と多少隙間を開けて設けられている場合もあるが、原則としてディスプレイ装置の画面の全面を覆うようにされる。ディスプレイ装置の一部がハーフミラーに覆われておらず、ハーフミラーの周囲からディスプレイ装置の画面が見えるのでは、この多機能画像表示装置の面白さが減少するおそれがあるからである。
他方、ディスプレイ装置の画面がハーフミラーに対して小さく、且つ画面のない領域がハーフミラーの裏側に存在すると、ディスプレイ装置の画像の表示がＯＮになっているときに、画面の輪郭がハーフミラー越しに見えてしまうので、多機能画像表示装置の面白さが減少してしまうことになりかねない。
このようなことがないようにするには、例えば、以下のようにすればよい。
例えば、前記ハーフミラーを、前記画面と同じ形状、同じ大きさとし、前記画面の全面を覆うようにして前記画面の前方に配することとすればよい。
或いは、前記ディスプレイ装置を、前記画面の一部を覆う画面枠体を備えるものとし、且つ、前記ハーフミラーを、前記画面のうち前記画面枠体から露出している部分である露出部分と同じ形状、同じ大きさにし、前記画面の前記露出部分の全面を覆うようにして前記画面の前方に配することとすればよい。
或いは、前記ハーフミラーを、前記画面の全面を覆うこのとのできる形状、大きさとし、前記画面の全面を覆うようにして前記画面の前方に配するとともに、前記ハーフミラーのうち、その背後に前記画面の存在しない部分を覆うハーフミラー枠体を設ければよい。
【０００６】
第１発明による多機能画像表示装置におけるハーフミラーの光反射率は、特にこの限りではないが、６０〜８０％程度とすることができる。光反射率が５０％以下だとハーフミラーは鏡として十分に機能しない（その裏側にあるディスプレイ装置が透けて見えたり、反射光が少ないためその表面で反射した像が暗くなる。）。そこで、本願発明では、光反射率が６０％〜８０％のハーフミラーを用いることで、ハーフミラーの鏡としての機能を十分なものとしている。なお、ハーフミラーの光の透過率は、光反射率と足して１００％にはならない。ハーフミラーに到達した光には、反射も透過もされないものがあるからである。
なお、上述したように、本願発明に用いるハーフミラーは、通常のハーフミラーよりも光反射率が高いものとすることがある。その場合に用いるディスプレイ装置は、通常よりも輝度の大きい、例えば、輝度が２５０カンデラ（Ｃｄ）以上、より好ましくは３５０〜４００Ｃｄ程度のものを用いることができる。
【０００７】
第１発明による多機能画像表示装置では、その画面に再生される画像に特に制限はない。例えば、それは、静止画であっても動画であっても構わない。また、そのような画像を表示するためのデータをどのように取得、或いは生成するかも不問である。
例えば、第１発明による多機能画像表示装置は、前記画面で再生される動画についての動画像データを記録する記録手段を備えており、前記ディスプレイ装置における画像の表示がＯＮとなっている場合には、前記記録手段に記録された前記動画像データに基づく動画が前記画面に表示されるようになっていてもよい。記録手段に記録された動画像データが複数であり、所定の順序で、或いはランダムに、複数の動画像データの一つが再生されるようになっていてもよい。
第１発明による多機能画像表示装置は、それが記録手段を備える場合には、前記動画像データを所定のネットワークを介してこのネットワークに接続された動画配信装置から取得する通信手段を有していてもよい。この場合、この通信手段を介して前記動画配信装置から取得した動画像データが前記記録手段に記録されるようにすることができる。
【０００８】
第１発明による多機能画像表示装置における制御手段は、上述したように、人感センサが所定の範囲内に人間が入ってきたことを検出したことを契機にディスプレイ装置における画像の表示をＯＮにするようになっている。
制御手段は、その一方で、ディスプレイ装置における画像の表示をＯＦＦにする制御を行うようになっていてもよい。
例えば、制御手段は、前記ディスプレイ装置における画像の表示をＯＮにした後所定の時間が経過したら、前記ディスプレイ装置における画像の表示をＯＦＦにするような制御を行うようになっていてもよい。
また、第１発明による多機能画像表示装置が記録手段を備える場合、前記制御手段は、前記ディスプレイ装置における画像の表示をＯＮにした後、前記動画像データに基づく動画の再生が終了したら前記ディスプレイ装置における画像の表示をＯＦＦにするようになっていてもよい。
なお、第１発明における『ディスプレイ装置又は画面の（画像の）表示をＯＦＦにする』という表現は、必ずしもディスプレイ装置の電源をＯＦＦにすることを意味しない。ディスプレイ装置の画面をブラックアウトさせるようなものであれば足りる。
【０００９】
本願発明者が提案する第２発明は、画像を表示することのできる画面を有するディスプレイ装置と、前記画面を覆うハーフミラーと、前記ディスプレイ装置における画像の表示範囲を制御する制御手段と、前記ディスプレイ装置を含む所定の範囲内に人間が入ってきたことを検出することのできる人感センサと、を備えており、前記制御手段は、前記人感センサが前記所定の範囲内に人間が入ってきたことを検出したことを契機に前記ディスプレイ装置の画像の表示範囲を変化させるようになっており、前記ディスプレイ装置における画像の表示がされていない部分に対応するハーフミラーが鏡として機能し、且つ前記ディスプレイ装置における画像の表示がされている部分は前記ハーフミラー越しに見える画像により画像表示装置として機能するようになっている、多機能画像表示装置である。
第２発明による多機能画像表示装置は、ハーフミラー越しに見えるディスプレイ装置の画面の表示範囲を、人感センサが所定の範囲内に人間が入ってきたことを検出したことを契機に変化させる制御手段を備えている。このような多機能画像表示装置であれば、画面の少なくとも一部において、鏡から画像表示装置への切替えが人の目に付く可能性が高いものとなる。これにより、この多機能画像表示装置は、上述の多機能画像表示装置と同様に、従来のものよりも面白いものとなる。制御手段は、例えば、人感センサが所定の範囲内に人間が入ってきたことを契機に、画面における画像の表示範囲を広げるような制御を行うようなものとすることができる。これは、ディスプレイ装置の一部のブラックアウトさせておいた部分に何らかの表示を行うことなどで実現できる。
【００１０】
第２発明は、基本的に第１発明と同様のバリエーションを持つ。
例えば、第２発明の多機能画像表示装置における制御手段は、人感センサが所定の範囲内に人間が入ってきたことを検出したことを契機にディスプレイ装置における画像の表示範囲を変化させるようなものであればよく、必ずしも人感センサが所定の範囲内に人間が入ってきたことを検出してから直ちに、ディスプレイ装置における画像の表示範囲を変化させるようになっている必要はない。多少、例えば数秒のタイムラグをおいてからディスプレイ装置における画像の表示範囲を変化させるようになっていてもよい。
また、第２発明における多機能画像表示装置における前記ディスプレイ装置がどのようなものであってもよいことは、第１発明の場合と同様である。
第２発明における多機能画像表示装置にも、前記ハーフミラーを、前記画面と同じ形状、同じ大きさとし、前記画面の全面を覆うようにして前記画面の前方に配する構成、前記ディスプレイ装置を、前記画面の一部を覆う画面枠体を備えるものとし、且つ、前記ハーフミラーを、前記画面のうち前記画面枠体から露出している部分である露出部分と同じ形状、同じ大きさにし、前記画面の前記露出部分の全面を覆うようにして前記画面の前方に配する構成、前記ハーフミラーを、前記画面の全面を覆うこのとのできる形状、大きさとし、前記画面の全面を覆うようにして前記画面の前方に配するとともに、前記ハーフミラーのうち、その背後に前記画面の存在しない部分を覆うハーフミラー枠体を設ける構成の、第１発明と同様の構成を採用することができる。
第２発明における多機能画像表示装置が備えるハーフミラーの光反射率に関しても、第１発明の場合と同様である。
第２発明の多機能画像表示装置における画面に再生される画像には、特に制限はない。画像を表示するためのデータをどのように取得、或いは生成するかも不問である。これも第１発明の場合と同様である。
第２発明の多機能画像表示装置は、第１発明の場合と同様の前記画面で再生される動画についての動画像データを記録する記録手段を備えていてもよい。この場合、前記ディスプレイ装置に表示される画像は、前記記録手段に記録された前記動画像データに基づいて表示される。記録手段に記録された動画像データが複数であり、所定の順序で、或いはランダムに、複数の動画像データの一つが再生されるようになっていてもよい。
第２発明の多機能画像表示装置は、それが記録手段を備える場合には、前記動画像データを所定のネットワークを介してこのネットワークに接続された動画配信装置から取得する通信手段を有していてもよい。この場合、この通信手段を介して前記動画配信装置から取得した動画像データが前記記録手段に記録されるようにすることができる。
第２発明の多機能画像表示装置における制御手段は、上述したように、人感センサが所定の範囲内に人間が入ってきたことを検出したことを契機にディスプレイ装置における画像の表示範囲を変化させるようになっている。
制御手段は、その一方で、ディスプレイ装置における画像の表示範囲を上述の変化前の状況に戻す制御を行うようになっていてもよい。例えば、制御手段は、前記ディスプレイ装置における画像の表示範囲を変化させた後所定の時間が経過したら、前記ディスプレイ装置における画像の表示範囲を元に戻すような制御を行うようになっていてもよい。
【発明を実施するための最良の形態】
【００１１】
以下、本発明の好ましい第１、第２実施形態を、図面を参照しながら詳細に説明する。
なお、各実施形態の説明では、共通するものには共通の符号を用いることとし、重複する説明は場合により省略するものとする。
【００１２】
≪第１実施形態≫
第１実施形態による多機能画像表示装置１は、本願発明の第１発明に相当するものである。
多機能画像表示装置１は、図１に示したように、略直方体に形成のケース１０を備えている。このケース１０は樹脂製であり、薄く（この実施形態では、厚さ１ｃｍ程度）形成され、且つ内部は中空になっている。
ケース１０の正面には、矩形の孔１１が設けられている。この孔１１は、２ｃｍ程度の縁をその周囲に残すようにして、ケース１０の正面に穿設されている。
ケース１０の正面上側には人感センサ１２が設けられている。この人感センサ１２は、多機能画像表示装置１を含む所定の範囲内に、人間が入ってきたことを検出するものである。必ずしもそうなっている必要はないが、本実施形態の人感センサ１２は、多機能画像表示装置１の１ｍ以内であって、人感センサ１２から水平方向１５０度、垂直方向６０度の範囲内に人間が入ってきた場合に、人間がその範囲に入って来たことを検出するものとなっている。人感センサ１２はそのような検出を行えるようなものであれば、温度、音などどのような物理量に基づいて上述の検出を行うものであってもよい。この実施形態の人感センサ１２は、遠赤外線を検知することで、上述の範囲に人間が入ってきたことを検出するようなものとなっている。
【００１３】
ケース１０の内部には、図２の断面図に示されたように、その背面側から、制御基板２０、液晶ディスプレイ装置３０、ハーフミラー４０が、それぞれケース１０の内側に固定されるようにして配されている。
【００１４】
制御基板２０は、液晶ディスプレイ装置３０の制御を行うものである。制御基板２０は、この実施形態では、図３に示したように、ＣＰＵ（Central Processing Unit）２１、ＲＯＭ（Read Only Memory）２２、ＲＡＭ（Random Access Memory）２３、インタフェイス２４、及びこれらを接続するバス２５を備えている。
ＣＰＵ２１は、所定のプログラムを実行することで、所定の処理を実行するものである。
ＲＯＭ２２は、ＣＰＵ２１を動作させるためのプログラム、液晶ディスプレイ装置３０を制御する際に必要なデータなどを記憶している。
ＲＡＭ２３は、ＣＰＵ２１がデータ処理を行うためのワーク領域を提供する。また、液晶ディスプレイ装置３０に表示される画像についての画像データも、このＲＡＭ２３に記録されるようになっている。
インタフェイス２４は、この制御基板２０の入出力用の窓口として機能する。インタフェイス２４は、接続用のコネクタ２４Ａを備えている。このコネクタ２４Ａは、ケース１０の側面から露出しており、所定の電話回線と接続されたケーブルＣと接続可能とされている。インタフェイス２４は、ケーブルＣ、電話回線を介してインターネットに接続できるようになっている。もっとも、多機能画像表示装置１が備えるコネクタ２４Ａは、電話回線を通じてインターネットと接続できるようになっている必要は必ずしもない。コネクタ２４Ａは、後述する配信装置との通信を可能とするものであれば、有線でなく無線で通信を行うようなものでもよい。また、必ずしもインターネット経由で配信装置と通信できる必要はなく、例えば専用線を介して配信装置と通信できるようなものであってもよい。インタフェイス２４はまた、上述した人感センサ１２とも接続されており、多機能画像表示装置１を含む所定の範囲内に人間が入ってきたことを人感センサ１２が検出した場合に人感センサ１２が生成する信号（以下、これを『検知信号』という。）を人感センサ１２から受付けるようになっている。
【００１５】
液晶ディスプレイ装置３０は、画像の表示が行われる画面３１と、その外周に沿うように設けられた電極部３２とを備えている。図２において、液晶ディスプレイ装置３０の正面から見て画面３１に相当する部分は白抜きで、液晶ディスプレイ装置３０の正面から見て電極部３２に相当する部分にはハッチングをかけて示している。
この実施形態における液晶ディスプレイ装置３０の画面３１は、多機能画像表示装置１の正面から見た場合に、ケース１０の矩形の孔１１とちょうど重なるようになっている。したがって、液晶ディスプレイ装置３０の電極部３２に相当する部分は、ケース１０の孔１１の周りを囲む部分の裏側に隠れるようになっている。
この液晶ディスプレイ装置３０は、その画面３１に何らかの表示を行われた場合に、その表示がハーフミラー４０を通して見えるようになっており、また画面３１がブラックアウトした状態では、ハーフミラー４０を通して画面３１の存在を、多機能画像表示装置１の前に位置する人間が肉眼では認識できないようになっている。
なお、この実施形態における液晶ディスプレイ装置３０の画面３１の輝度は、３５０Ｃｄとされている。なお、液晶ディスプレイ装置３０の画面の輝度は、後述するハーフミラー４０の光反射率（又は透過率）との兼ね合いで、好ましくは２５０Ｃｄ以上、より好ましくは３５０〜４００Ｃｄの範囲で決定すればよい。
【００１６】
ハーフミラー４０は、透明な基材（例えば、ガラス）にアルミを蒸着させて作られている。ハーフミラー４０は、必ずしもそうである必要はないが、この実施形態では光反射率が７０％になっている。なお、光反射率は、６０％〜８０％の間で適宜選択すればよい。
【００１７】
上述の制御基板２０におけるＣＰＵ２１が、ＲＯＭ２２に記録されていたプログラムを実行することで、多機能画像表示装置１内に、図４に示されるような機能ブロックが生成される。
多機能画像表示装置１内に生成される機能ブロックは、入力管理部２１０、制御部２２０、出力管理部２３０を含んでいる。
【００１８】
入力管理部２１０は、インタフェイス２４を介して制御基板２０に対して行われる入力を管理するものである。インタフェイス２４にはコネクタ２４Ａ及び人感センサ１２が接続されている。したがって、入力管理部２１０は、これらからの入力を管理する。コネクタ２４Ａは、後述する配信装置からの動画像データを受付ける。また、人感センサ１２は上述した検知信号を生成する。入力管理部２１０は、インタフェイス２４を介して入力されるこれら動画像データ及び検知信号を受付け、それを制御部２２０へと送るようになっている。
【００１９】
制御部２２０は、この多機能画像表示装置１の制御を行うものである。
制御部２２０には、画像データ記録部２２１、画像データ制御部２２２、及び画像データ生成部２２３が含まれている。
画像データ記録部２２１は、動画像データを記録するものである。動画像データは、液晶ディスプレイ装置３０の画面３１に動画像を表示するためのデータである。必ずしもそうである必要はないが、この実施形態の液晶ディスプレイ装置３０の画面３１に表示される画像は動画像とされているので、この実施形態では、画像データ記録部２２１には、動画についての動画像データが記録されることになる。また、必ずしもそうなっている必要はないが、この実施形態の画像データ記録部２２１に記録される動画像データは複数である。複数の動画像データは、液晶ディスプレイ装置３０の画面３１に、互いに異なる動画を表示させるようなものとなっている。
画像データ制御部２２２は、動画像データの管理一般を行う。画像データ制御部２２２は、例えば、入力管理部２１０から受付けた動画像データを、画像データ記録部２２１へ記録する制御を行う。また、画像データ制御部２２２は、複数ある動画像データの一部を消去する機能を有する場合もある。この場合、画像データ制御部２２２は、配信装置から、インターネット、コネクタ２４Ａを介して受付けた指示にしたがってかかる動画像データの消去を行うようになっていてもよい。また、（例えば、この多機能画像表示装置１の管理者からの）入力を受付ける手段からの入力内容にしたがって、動画像データの消去を行うようになっていてもよい。画像データ制御部２２２は、また、画像データ生成部２２３に対して後述する選択信号を送る。画像データ制御部２２２は、入力管理部２１０から上述の検知信号を受付けた場合に選択信号を生成し、それを画像データ生成部２２３へ送るようになっている。
画像データ生成部２２３は、画像データ記録部２２１から読み出した動画像データに基づいて、液晶ディスプレイ装置３０の画面３１に表示する動画のデータである表示用データを生成する。画像データ生成部２２３は、選択信号を画像データ制御部２２２から受付けたことをきっかけにして画像データ記録部２２１から動画像データを読み出し、これに基づいて表示用データを生成する。このように、上述の選択信号は、表示用データの生成のきっかけになるものである。このとき、画像データ生成部２２３は、選択信号を受付けてすぐに表示用データの生成を行うようになっていてもよいが、この実施形態では、選択信号を受付けてから５秒後に表示用データを生成するようになっている。これにより、この多機能画像表示装置１では、人感センサ１２が多機能画像表示装置１を含む所定の範囲内に人間が入ってきたことを検出してから（人感センサ１２が検知信号を生成してから）５秒後に、表示用データが生成されるようになっている。
なお、選択信号は、既に述べたように表示用データの生成のきっかけになる。また、それだけでなく、選択信号には、動画像データの選択を画像データ生成部２２３に行わせるための情報が含まれている。即ち、選択信号には、画像データ記録部２２１にある複数の動画像データの１つを指定する情報が含まれている。そのような選択信号を受付けた画像データ生成部２２３は、その選択信号にて指定された動画像データを読み出すようになっている。なお、画像データ制御部２２２が複数の動画像データの１つを指定する情報をどのように生成するか、言い換えれば、画像データ制御部２２２が画像データ生成部２２３に動画像データの１つをどのように選択させるかは、どのように行われてもよい。例えば、画像データ制御部２２２が、複数の動画像データを順に画像データ生成部２２３に選択させるようになっていてもよいし、画像データ制御部２２２が、複数の動画像データをランダムに画像データ生成部２２３に選択させるようになっていてもよい。
いずれにせよ、画像データ生成部２２３は、生成した表示用データを出力管理部２３０へ送る。
【００２０】
出力管理部２３０は、液晶ディスプレイ装置３０と接続されており、画像データ生成部２２３から受付けた表示用データを液晶ディスプレイ装置３０に送る。この表示用データを受付けた液晶ディスプレイ装置３０の画面３１には、動画像データに基づく動画が表示されることになる。
【００２１】
この実施形態における多機能画像表示装置１は、上述したように、インターネットＩを介して配信装置Ｘと接続される（図５）。この実施形態における配信装置Ｘは、複数の多機能画像表示装置１に対して動画像データの配信を行えるようになっている。配信装置Ｘが複数の多機能画像表示装置１に対して配信する動画像データは、すべて同じ物であってもよいし、それぞれ異なるものであってもよい。
【００２２】
この実施形態における配信装置Ｘは、一般的な汎用のコンピュータにて構成されている。配信装置Ｘは、所定のディスプレイ装置、キーボードやマウスなどにより構成される所定の入力装置と接続されている。
【００２３】
配信装置Ｘとなるコンピュータは、ディスクドライブを備えている。そしてそのディスクドライブに、ＣＤ−ＲＯＭやＤＶＤ−ＲＯＭなどにより構成される記録媒体Ｍを挿入し、その記録媒体Ｍに記録されているプログラムを読み込ませることができるようになっている。このコンピュータは、上述の過程によって記録媒体Ｍに記録されたプログラムをインストールすることで、本発明の配信装置Ｘに求められる以下の各機能を有するものとなる。
このプログラムは、それ単体でコンピュータに本発明の配信装置Ｘとしての機能を奏させることができるようなものでもよく、それとコンピュータにインストールされているＯＳとの協働により、コンピュータに本発明の配信装置Ｘとしての機能を奏させるようなものとなっていても良い。
【００２４】
上述のプログラムの実行により、本発明の配信装置Ｘが内蔵するＣＰＵは、以下の機能ブロックを形成する。
つまり、図６に示したように、この配信装置Ｘは、通信部３１０、データ記録部３２０、及びデータ選択部３３０を備えて構成されている。
【００２５】
通信部３１０は、配信装置Ｘから多機能画像表示装置１に対してインターネットＩを介して行われる動画像データの送信を制御する機能を有している。
【００２６】
データ記録部３２０は、配信装置Ｘから多機能画像表示装置１に対して送信される動画像データを記録する機能を有している。データ記録部３２０に記録される動画像データは複数である。この動画像データの中の少なくとも１つが、各多機能画像表示装置１に送られる。データ記録部３２０には、また、どの動画像データをどの多機能画像表示装置１に送信するかということについての情報が記録されている。この情報には、どの動画像データをどの多機能画像表示装置１にいつ送信するかということについての情報が含まれていてもよく、この実施形態ではそうなっている。
【００２７】
データ選択部３３０は、上述の情報に基づいてデータ記録部３２０から動画像データを読み出し、それを上述の情報とともに通信部３１０に送る機能を有する。
通信部３１０は、データ選択部３３０から受取った動画像データを、データ選択部３３０から受取った情報によって送信先として指定された多機能画像表示装置１に送信する。
【００２８】
次いで、本実施形態による多機能画像表示装置１の動作を説明する。
【００２９】
本実施形態における多機能画像表示装置１は、まず、動画像データを配信装置Ｘから受付ける。
配信装置Ｘは、上述したように、それが備えるデータ記録部３２０に、動画像データと、どの動画像データをどの多機能画像表示装置１にいつ送信するかということについての情報とを記録している。この情報に基づいてデータ選択部３３０が読み出した動画像データは、上記情報に基づいて特定された多機能画像表示装置１に、配信装置Ｘの通信部３１０からインターネットＩを介して送信される。
【００３０】
この動画像データは、その送信先の多機能画像表示装置１が受付ける。より詳細には、その多機能画像表示装置１の入力管理部２１０が、コネクタ２４Ａ、インタフェイス２４を介して動画像データを受付ける。
この動画像データは、入力管理部２１０から制御部２２０に送られ、制御部２２０内の画像データ制御部２２２によって画像データ記録部２２１に記録される。
このようにして、多機能画像表示装置１は、その液晶ディスプレイ装置３０の画面３１で再生されるべき動画像データを持つことになる。
画像データ記録部２２１に記録される動画像データは、この実施形態では複数である。したがって、上述した処理で配信装置Ｘから多機能画像表示装置１に１回の送信で送られる動画像データは複数である。或いは、上述した配信装置Ｘから多機能画像表示装置１に動画像データを送信する処理は複数回行われる。
なお、上述した配信装置Ｘから多機能画像表示装置１に動画像データを送信する処理は、必要に応じて何度行われてもよい。それにより、多機能画像表示装置１の液晶ディスプレイ装置３０の画面３１に表示される画像が適宜更新される。
【００３１】
上述の如き処理により複数の動画像データを持つに至った多機能画像表示装置１は、以下のように動作する。
なお、この多機能画像表示装置１は、例えば、棚などの上に置かれて、或いは壁に掛けられた状態で使用される。その使用場所には特に制限がないが、例えばレストランなどの公共性の強い場所のトイレなどに置くことができる。
多機能画像表示装置１の前に人間が立つなどして、多機能画像表示装置１を含む上述の所定の範囲内に人間が入ってくると、多機能画像表示装置１の人感センサ１２は上記範囲内に人間が入ってきたことを検出し、検知信号を生成する。
この検知信号は、インタフェイス２４を介して、入力管理部２１０へ送られ、入力管理部２１０から制御部２２０内の画像データ制御部２２２へ送られる。
画像データ制御部２２２は、検知信号を受取ったことをきっかけにして、選択信号を生成する。この選択信号は、画像データ生成部２２３に送られる。選択信号を受付けた画像データ生成部２２３は、その選択信号に含まれている複数の動画像データの１つを指定する情報で指定された動画像データを画像データ記録部２２１から読み出し、選択信号を受取ってから５秒後に表示用データを生成する。この表示用データは、出力管理部２３０へ送られる。出力管理部２３０は、この表示用データを液晶ディスプレイ装置３０に送る。表示用データを受付けた液晶ディスプレイ装置３０は、その表示用データに基づく動画像をその画面３１に表示する。
これにより、この多機能画像表示装置１は、人感センサ１２がその多機能画像表示装置１を含む所定の範囲内に人間が入ってきたことを検知してからほぼ５秒後に、鏡の状態からディスプレイの状態に切替わる。
なお、詳しい説明を省略するが、多機能画像表示装置１に音出力用のスピーカを設けておき、多機能画像表示装置１の液晶ディスプレイ装置３０の画面３１に動画像が表示されたときに、そのスピーカから何らかの音が出力されるようにしておくと、多機能画像表示装置１で動画が表示されるそのときに、人間の注意を多機能画像表示装置１に向けさせやすくなる。
【００３２】
この実施形態では、動画像データに基づいて生成された表示用データの液晶ディスプレイ装置３０での受付けが終了すると、液晶ディスプレイ装置３０はブラックアウトする。より詳細にいえば、この実施形態では、液晶ディスプレイ装置３０への表示用データの入力が終了し、液晶ディスプレイ装置３０の画面３１に何らかの動画を表示させるためのデータがなくなることで、液晶ディスプレイ装置３０の画面３１がブラックアウトするようになっている。これにより、液晶ディスプレイ装置３０は、何も表示されていない状態となる。
これにより、この多機能画像表示装置１は、ディスプレイの状態から鏡の状態に戻る。
なお、この実施形態では、液晶ディスプレイ装置３０の画面３１に何らかの動画を表示させるためのデータが液晶ディスプレイ装置３０に供給されなくなることで、画面３１がブラックアウトするようになっているが、例えば、制御部２２０が、検知信号の生成時から一定時間経過後、或いは動画像データの読出しが開始されてから一定時間経過後に液晶ディスプレイ装置３０の電源を切る処理を実行することにより、液晶ディスプレイ装置３０の画面３１をブラックアウトさせることもできる。
【００３３】
以下、第１実施形態にかかる多機能画像表示装置１の変形例について説明する。
≪変形例１≫
第１実施形態による多機能画像表示装置１では、液晶ディスプレイ装置３０の画面３１及び電極部３２と、ハーフミラー４０と、ケース１０が、図２に示したような関係にあった。つまり、上述したように、第１実施形態による多機能画像表示装置１では、液晶ディスプレイ装置３０の画面３１がケース１０の孔１１と同じ大きさになっており、それ故、多機能画像表示装置１の正面から見た場合に、液晶ディスプレイ装置３０の画面３１でない部分である電極部３２が、ケース１０の孔１１の周辺部に隠れるようになっている。また、この多機能画像表示装置１のハーフミラー４０は、液晶ディスプレイ装置３０の画面３１と電極部３２の全体を覆うようなものとなっていた。
変形例１に係る多機能画像表示装置２は、第１実施形態による多機能画像表示装置１における、液晶ディスプレイ装置３０の画面３１及び電極部３２と、ハーフミラー４０と、ケース１０の関係に多少の変更を加えたものである。
変形例１における多機能画像表示装置２は、上述の点以外は、第１実施形態による多機能画像表示装置１と変わりはない。変形例１における多機能画像表示装置２は、図７（Ａ）の断面図に示したような構造とされている。変形例１による多機能画像表示装置２における液晶ディスプレイ装置３０は、多機能画像表示装置１の場合と同様である。異なるのは、多機能画像表示装置２におけるハーフミラー４０が、ケース１０の孔１１の内側に、その外周面を接した状態で嵌め込まれている点である。したがって、この変形例１による多機能画像表示装置２は、ハーフミラー４０と画面３１が同じ大きさ、形状となる。他の変形例１における多機能画像表示装置３として、図７（Ｂ）の断面図に示したような構造を採用することもできる。多機能画像表示装置３も、液晶ディスプレイ装置３０の画面３１及び電極部３２と、ハーフミラー４０と、ケース１０の関係以外は、第１実施形態による多機能画像表示装置１と変わりはない。多機能画像表示装置３における液晶ディスプレイ装置３０が備えるハーフミラー４０は、第１実施形態による多機能画像表示装置１のハーフミラー４０と変わりはない。他方、多機能画像表示装置３の液晶ディスプレイ装置３０は、その画面３１がケース１０の孔１１よりも多少大きくなっている。したがって、多機能画像表示装置３では、液晶ディスプレイ装置３０の電極部３２のみならず、画面３１の４つの辺の端部も、ケース１０の孔１１の周辺部分の裏側に隠れることになる。
≪変形例２≫
第１実施形態における多機能画像表示装置１は、動画を表示するための動画像データを、インターネットＩを介して配信装置Ｘから受付けるようになっていた。
これに代えて、多機能画像表示装置１は、そのＲＡＭ２３に当初から（例えば、出荷時から）動画像データを記録した状態となっていても構わない。また、多機能画像表示装置１のＲＡＭ２３を多機能画像表示装置１に対して着脱自在とすることもできる。これによれば、多機能画像表示装置１における動画像データの更新を、ＲＡＭ２３の交換により容易に行えるようになる。この場合、インターネットＩを介して動画像データを配信装置Ｘから受付けるための仕組みは、多機能画像表示装置１において不要になる。
【００３４】
≪第２実施形態≫
第２実施形態による多機能画像表示装置４は、本願発明の第２発明に相当するものである。この実施形態による多機能画像表示装置４は、基本的に第１実施形態による多機能画像表示装置４と同様に構成される。なお、第１実施形態において説明した変形例１、変形例２をはじめとする様々なバリエーションは、第２実施形態の多機能画像表示装置４にも応用可能である。
第２実施形態による多機能画像表示装置４は、ハードウエア面でいえば第１実施形態による多機能画像表示装置１と完全に同様であり、図１〜図３に示した構成を備えている。第２実施形態による多機能画像表示装置４は、第１実施形態による多機能画像表示装置１と同様に、インターネットＩを介して接続された配信装置Ｘから、動画像データを受付けられるようになっている。
また、第２実施形態による多機能画像表示装置４内には、多機能画像表示装置４に内蔵されたＣＰＵ２１が、ＲＯＭ２２に記録されていたプログラムを実行することで、多機能画像表示装置１内に生成されたのと同様の図４に示した機能ブロックが生成される。多機能画像表示装置４内に生成される機能ブロックは、入力管理部２１０、制御部２２０、出力管理部２３０を含む。
【００３５】
第２実施形態の多機能画像表示装置４内に生成される機能ブロックのうち、入力管理部２１０、出力管理部２３０の機能は第１実施形態の場合と変わらない。異なるのは、制御部２２０の機能である。
【００３６】
この実施形態における多機能画像表示装置４内の制御部２２０にも、第１実施形態の場合と同様に、画像データ記録部２２１、画像データ制御部２２２、画像データ生成部２２３が含まれる。
この多機能画像表示装置４の画像データ記録部２２１にも、動画像データが記録される。ただし、この多機能画像表示装置４の画像データ記録部２２１に記録される動画像データは、液晶ディスプレイ装置３０の画面３１の中の特定の範囲である変化範囲に動画を表示するためのものとなっている。また、この多機能画像表示装置４の画像データ記録部２２１に記録される動画像データには、液晶ディスプレイ装置３０の画面３１の中の変化範囲以外の範囲である固定範囲に動画を表示するためのものが含まれている。画面３１のうち固定範囲には常に画像が表示されるが、変化範囲には画像が表示される場合とされない場合がある。なお、第２実施形態の多機能画像表示装置４内の画像データ記録部２２１に記録される動画像データは、変化範囲に動画を表示するためのもの、固定範囲に動画を表示するためのものともに、単数でも複数でもよい。この実施形態では、前者を複数、後者を単数としてある。
変化範囲は、例えば、図８に示したようにされる。図８に示したのは、第２実施形態による多機能画像表示装置４の縦断面図であるが、液晶ディスプレイ装置３０の画面３１のうち略下１／５の網掛けされた部分が、変化範囲３１Ａとされている。その他の部分が固定範囲３１Ｂである。
【００３７】
第２実施形態における画像データ制御部２２２は、基本的には、第１実施形態の場合と同様であり、動画像データの管理一般を行う機能を持つ。第２実施形態における画像データ制御部２２２が第１実施形態の場合と異なるのは以下の点である。
第２実施形態における画像データ制御部２２２は、第１実施形態の場合と同様のタイミングで選択信号を生成し、その選択信号を画像データ生成部２２３に送るようになっている。ただし、第２実施形態における選択信号は、動画像データのうち、変化範囲に動画を表示するためのもののいずれかを特定するものとされている。
【００３８】
第２実施形態の画像データ生成部２２３は、第１実施形態の場合と同様に、画像データ記録部２２１から読み出した動画像データに基づいて、液晶ディスプレイ装置３０の画面３１に表示する動画のデータである表示用データを生成する。
ここで、第２実施形態の画像データ生成部２２３は、上述した変化範囲３１Ａに動画を表示するための表示用データを、選択信号を画像データ制御部２２２から受付けたことをきっかけにして生成する。この場合、画像データ制御部２２２は、選択信号によって特定された動画像データ（より詳細には、動画像データのうち変化範囲３１Ａに動画を表示するためのもの）を画像データ記録部２２１から読出して変化範囲３１Ａに動画を表示するための表示用データを生成する。なお、この表示用データは、この実施形態でも、画像データ生成部２２３が選択信号を受付けてから５秒後に生成される。
他方、第２実施形態の画像データ生成部２２３は、上述した固定範囲３１Ｂに動画を表示するための表示用データを、選択信号の受付けとは無関係に生成する。この実施形態では、画像データ生成部２２３は、動画像データのうち固定範囲３１Ｂに動画を表示するためのものを画像データ記録部２２１から繰り返し読出して、継続的に、固定範囲３１Ｂに動画を表示するための表示用データを生成する。
第２実施形態の画像データ生成部２２３は、以上のようにして生成した変化範囲３１Ａに動画を表示するための表示用データと、固定範囲３１Ｂに動画を表示するための表示用データを生成し、これを合わせたものを出力管理部２３０に送るようになっている。
【００３９】
出力管理部２３０は、受付けた表示用データに基づいて、液晶ディスプレイ装置３０の画面３１に動画を表示する。
【００４０】
第２実施形態における多機能画像表示装置４は、このような構成により、その固定範囲３１Ｂには、ある動画が繰り返しずっと表示されるとともに、その変化範囲３１Ａには、検出信号が生成されてからほぼ５秒経過後から一定時間だけ動画が表示されるようになる（変化範囲３１Ａは、そこに動画が表示されない場合には、ブラックアウトした状態となっている。）。このようにして、第２実施形態における多機能画像表示装置２は、その液晶ディスプレイ装置３０の画面３１に画像の表示される範囲が、検出信号が生成されてから、換言すれば、その多機能画像表示装置２を含む特定の範囲内に人間が入ってきてからほぼ５秒後に、変化するようになっている。
その後、液晶ディスプレイ装置３０が受付ける表示用データに、変化範囲３１Ａに動画を表示させるための表示用データが含まれなくなると、液晶ディスプレイ装置３０の画面３１は、固定範囲３１Ｂにのみ動画が表示され、変化範囲３１Ａには動画が表示されずブラックアウトしている状態に戻る。
【図面の簡単な説明】
【００４１】
【図１】第１実施形態の多機能画像表示装置の全体構成を示す斜視図。
【図２】図１に示した多機能画像表示装置の縦断面図。
【図３】図１に示した多機能画像表示装置に内蔵されたハードウエアの構成を示す図。
【図４】図１に示した多機能画像表示装置内に生成される機能ブロックを示すブロック図。
【図５】図１に示した多機能画像表示装置と配信装置の関係を概念的に示す図。
【図６】図５に示した配信装置内に生成される機能ブロックを示す図。
【図７】（Ａ）は、図１に示した多機能画像表示装置の一変形例を示す縦断面図、（Ｂ）は、図１に示した多機能画像表示装置の他の変形例を示す縦断面図。
【図８】第２実施形態の多機能画像表示装置を示す縦断面図。
【符号の説明】
【００４２】
１  多機能画像表示装置
２  多機能画像表示装置
３  多機能画像表示装置
４  多機能画像表示装置
１０  ケース
１１  孔
１２  人感センサ
２０  制御基板
２４Ａ  コネクタ
３０  液晶ディスプレイ装置
３１  画面
３１Ａ  変化範囲
３１Ｂ  固定範囲
３２  電極部
４０  ハーフミラー
２１０  入力管理部
２２０  制御部
２２１  画像データ記録部
２２２  画像データ制御部
２２３  画像データ生成部
２３０  出力管理部
Ｉ  インターネット
Ｍ  記録媒体
Ｘ  配信装置
【図１】
2006053277.tif 000003
【図２】
2006053277.tif 000004
【図３】
2006053277.tif 000005
【図４】
2006053277.tif 000006
【図５】
2006053277.tif 000007
【図６】
2006053277.tif 000008
【図７】
2006053277.tif 000009
【図８】
2006053277.tif 000010